(57)【要約】【課題】  部品の共通化をはかり、コストの上昇を抑えた指針式計器を提供することを目的とするものである。【解決手段】  指標部１２を有する指標板１と、指標部１２に沿って移動する指針４と、この指針４を移動させる駆動装置６と、指標部１２の外周に設けられる見返し９とを備えた指針式計器において、光源９６と、この光源９６からの光が透過する透過部９３と、この透過部９３を覆う暗色透過部９５とからなる表示部１０を見返し９に設けたものである。【選択図】図３
2005127915.tif 000002
【特許請求の範囲】
【請求項１】
指標部を有する指標板と、前記指標部に沿って移動する指針と、この指針を移動させる駆動装置と、前記指標部の外周に設けられる見返しとを備えた指針式計器において、光源と、この光源からの光が透過する透過部と、この透過部を覆う暗色透過部とからなる表示部を前記見返しに設けたことを特徴とする指針式計器。
【請求項２】
前記光源を実装した回路基板を前記見返しに固定したことを特徴とする請求項１記載の指針式計器。
【請求項３】
指標部を有する指標板と、前記指標部に沿って移動する指針と、この指針を移動させる駆動装置とを備えた指針式計器において、光源と、この光源からの光が透過する暗色透過部とからなる表示部を前記指標板に設けたことを特徴とする指針式計器。
【請求項４】
指標部を有する指標板と、前記指標部に沿って移動する指針と、この指針を移動させる駆動装置とを備えた指針式計器において、光源と、この光源によって照明される表示部を有し前記指標板の前面に設けられる光透過部材とを備えたことを特徴とする指針式計器。
【請求項５】
前記表示部が前記指標部に関連した関連表示を行うことを特徴とした請求項１から４のいずれかに記載の指針式計器。
【発明の詳細な説明】
【技術分野】
【０００１】
本発明は、例えば自動車を代表とする車両に搭載される指針式計器に関する。
【背景技術】
【０００２】
従来の指針式計器としては、速度計の文字板の目盛り（指標部）の近傍に、予め設定した一定速度で走行する定速走行装置の設定速度を表示する表示部を備えたものなどがあり、この表示部は、速度計の文字板の余分の部分を隠すために設けられた見返しに、文字板の目盛りに沿って複数のインジケータをドット状に配置したものである（例えば、特許文献１）。
【特許文献１】実開平４−１０２０５９号公報
【発明の開示】
【発明が解決しようとする課題】
【０００３】
しかし、通常、一つの車種には排気量や装備が異なる複数のグレードを備えており、各グレードに搭載される計器も異なっている。このような場合、定速走行装置の設定速度表示部を備えた計器だけでなく、設定速度表示部を備えていない指針式計器も存在する。このような場合、指針式計器のグレード毎（この場合、設定速度表示部の有無）に表示部を用意する必要があり、見返しなどの部品の共通化がはかれなかった。このため部品のバリエーションの増加や金型などの設備を多く必要としていたため、コストの上昇を招いていた。そこで本発明は、前述の課題に対して対処するため、部品の共通化をはかり、コストの上昇を抑えた指針式計器を提供することを目的とするものである。
【課題を解決するための手段】
【０００４】
本発明は、指標部を有する指標板と、前記指標部に沿って移動する指針と、この指針を移動させる駆動装置と、前記指標部の外周に設けられる見返しとを備えた指針式計器において、光源と、この光源からの光が透過する透過部と、この透過部を覆う暗色透過部とからなる表示部を前記見返しに設けたものである。
【０００５】
また本発明は、前記光源を実装した回路基板を前記見返しに固定したものである。
【０００６】
また本発明は、指標部を有する指標板と、前記指標部に沿って移動する指針と、この指針を移動させる駆動装置とを備えた指針式計器において、光源と、この光源からの光が透過する透過部と、この透過部を覆う暗色透過部とからなる表示部を前記指標板に設けたものである。
【０００７】
また本発明は、指標部を有する指標板と、前記指標部に沿って移動する指針と、この指針を移動させる駆動装置とを備えた指針式計器において、光源と、この光源によって照明される表示部を有し前記指標板の前面に設けられる光透過部材とを備えたものである。
【０００８】
また本発明は、前記表示部が前記指標部に関連した関連表示を行うものである。
【発明の効果】
【０００９】
本発明によれば、初期の目的を達成でき、部品の共通化をはかり、コストの上昇を抑えた指針式計器を提供することができる。
【発明を実施するための最良の形態】
【００１０】
以下、図１〜図６に基づいて本発明の第１の実施形態について説明する。
【００１１】
本実施形態による指針式計器は、図１から図３に示すように、指標板１と、この指標板１の背後に配置される導光板２と、この導光板２の背後に配置される回転体（移動体）３と、この回転体３に装着される指針４と、回転体３を回転可能に支持する支持体５と、回転体３を回転移動させる駆動装置６と、観察者に所定情報を表示する表示装置７と、この表示装置７の背後に配置される回路基板８と、指標板１を照明する第１の光源（指標板用光源）Ｌ１と、指針４を照明する第２の光源（指針用光源）Ｌ２と、指標板１の外周を取り囲む見返し９と、この見返し９に設けられた表示部１０とを備えている。
【００１２】
指標板１は、表示装置７が露出する例えば円形の貫通孔（貫通部）１１を有する概略円環形状の板材からなり、この貫通孔１１の周囲には、指針４の移動経路に沿って円弧状に配列された文字や目盛等の指標部１２を備えている。これら指標部１２は概略円環形状を有する透光性合成樹脂板からなる基材１３上にスクリーン印刷等の手段により指標部１２と背景となる地部１４が形成され、この場合、指標部１２が光透過性、地部１４が遮光性を有している。
【００１３】
導光板２は、指標板１の背後に重ね合わされた透光性合成樹脂板からなり、指標板１の貫通孔１１に対応した貫通孔２１を備えている。この導光板２の外周側面２２は、後に詳述する第１の光源Ｌ１に対向しており、光源Ｌ１からの光を外周側面２２から導入して指標板１の指標部１２を背後から照明する。なお本実施形態では、指標板１とは別に導光板２を採用し、その外周側面２２を第１の光源Ｌ１に対応させたが、導光板２の前面に指標部１２と地部１４とをスクリーン印刷することにより、指標板１を廃止するか、または導光板２を指標板１の基材としてもよい。
【００１４】
回転体３は、貫通孔１１及び導光板２の貫通孔２１に対応した貫通孔３１を有する概略円環形状の板材からなり、その材質は合成樹脂からなる。この回転体３の外周には、歯車部３２が形成されており、この歯車部３２は、駆動装置６の後述する駆動歯車に連結される。従って、本実施形態の回転体３は、ギヤホイールとして機能するものである。
【００１５】
指針４は、図２、図３中、断面略「コ」字状をなす例えば透光性合成樹脂（透光性材料）からなる透光体４１と、この透光体４１の所要部を覆う遮光性合成樹脂からなるカバー４２とを備える。
【００１６】
透光体４１は、後に詳述する第２の光源Ｌ２と貫通孔１１との間を指標板１（導光板２）の背面に沿って延び第２の光源Ｌ２からの光を貫通孔１１側に導く光導入部４３と、貫通孔１１と第２の光源Ｌ２との間を指標板１の前面に沿って延び指標部１２を指示する指示部４４と、この指示部４４と光導入部４３とを貫通孔１１側にて連結し光導入部４３からの光を指示部４４に導いて発光させる中間部４５とを有する。
【００１７】
光導入部４３は、図５に詳しく示すように、中間部４５を基準として第２の光源Ｌ２に向け扇形に延びる形状を有し、第２の光源Ｌ２に対応（対向）する外周側面には、第２の光源Ｌ２からの光を内部に導入する受光面４６が形成され、この受光面４６は、扇形に広がる円弧面に形成されている。
【００１８】
指示部４４は、貫通孔１１の内縁から指標部１２に向けて線状に延びており、その前面または背面には図示しないが、例えばホットスタンプ層からなる着色層や反射層が形成されている。
【００１９】
中間部４５は、光導入部４３の貫通孔１１側端部から指示部４４の貫通孔１１側端部に向けて、貫通孔１１の内縁を経由して図３中上側に延びており、この中間部４５と光導入部４３の接続箇所には、光導入部４３側からの光を中間部４５側に反射する第１の反射面４７が形成され、中間部４５と指示部４４の接続箇所には中間部４５側からの光を指示部４４の先端側に反射する第２の反射部４８が形成されている。
【００２０】
カバー４２は、指示部４４の貫通孔１１側端部から中間部４５の周囲を覆うように透光体４１に固定されている。
【００２１】
また本実施形態の場合、光導入部４３の背面一部が回転体３に装着固定され、回転体３の回転移動によって指針４が指標部１２に沿って指標板１上を移動するようになっている。
【００２２】
支持体５は、各貫通孔１１，２１，３１対応する貫通孔５１を有する概略環状形状を有する合成樹脂部材からなる。この支持体５には、回転体３を収容して回転可能に保持する凹部５２が形成され、この凹部５２を形成する内側環状突出部５３と外側環状突出部５４のうち、外側環状突出部５４の内側に第１，第２の光源Ｌ１，Ｌ２が配置されている。
【００２３】
駆動装置６は、例えばステッピングモータや交差コイル式ムーブメントからなり、貫通孔１１，３１の外側（回転体３の外周側）に位置して回路基板８上に配置されている。この駆動装置６の回転軸６１には、回転体３の歯車部３２に連結される駆動歯車６２が固定され、駆動装置６を計測量に応じて回転させて回転体３に固定された指針４の指標板１上での指示が可能となるように構成されている。なお回転体３の歯車部３２と駆動歯車６２との連結箇所に対応する支持体５箇所には、両者の連結を可能とするように外側環状突出部５４や凹部５２の一部を取り除いた切り欠き部５５が形成されている。
【００２４】
第１，第２の光源Ｌ１，Ｌ２は、例えば表面実装チップ型の発光ダイオードからなり、柔軟性を有する共通の帯状導体（例えばＦＰＣ：フレキシブル・プリント・サーキット）Ｆに複数、列状に装着保持されている。なお帯状導体９には図示しないが第１，第２の光源Ｌ１，Ｌ２に電力供給を行うための銅箔パターンが形成され、この銅箔パターン上に第１，第２の光源Ｌ１，Ｌ２が実装されている。
【００２５】
これら第１，第２の光源Ｌ１，Ｌ２は、図６に示すように、互いに平行な列をなすように一定間隔を空けて帯状導体Ｆ上に複数配置されている。そして支持体５への装着状態において、第１の光源Ｌ１は、各々の発光部ＬＦが貫通孔１１側、より詳しくは指針４の移動中心Ｃ（図４参照）を向くように、指標部１２の外周（外側）であって指標板１の表面よりも奥まった箇所に位置して、導光板２の外周側面２２に対向配置され、外周側面２２を通じて導光板２内に光を供給し指標板１の指標部１２を照明する指標用光源として機能する。一方、第２の光源Ｌ２も第１の光源Ｌ１と同様、各々の発光部ＬＦが貫通孔１１側、より詳しくは指針４の移動中心Ｃ（図４参照）を向くように、指標部１２の外側であって、指標板１の表面（及び第１の光源Ｌ１）よりも奥まった箇所に位置して、指針４の光導入部４３の受光面（外周側面）４６に対向配置され、受光面４６を通じて光導入部４３内に光を供給し指示部４４を照明する指針用光源として機能する。
【００２６】
なおこの場合、導光板２は、常時、第１の光源Ｌ１全ての光を受けて指標部１２を照明するが、指針４の場合は、その回転移動位置に応じて、複数の第２の光源Ｌ２のうちの一部（所定の光源Ｌ２）に受光部４６が対向することで、透光体４１内に光が導入され、指示部４４が発光することになる。
【００２７】
表示装置７は、例えばＴＦＴ（薄膜トランジスタ）型の液晶表示素子または有機電界発光素子からなる表示パネルを枠体内に組み込んでなり、表示パネルの表示面が貫通孔１１，３１に臨むように、回路基板８上に配置されている。なお表示装置７の表示情報は任意であるが、一例として例えば走行距離情報、ナビゲーション情報、シフトポジション情報、外気温情報の他、各種情報が挙げられる。
【００２８】
回路基板８は、基材がガラスエポキシ樹脂などの硬質の回路基板からなり、駆動装置６、表示装置７、各光源Ｌ１，Ｌ２の動作を制御する図示しない駆動制御回路が搭載されている。
【００２９】
見返し９は表示部１０を備えている。遮光性の合成樹脂からなり指標板１の周囲を囲む開口９１を備えた主要部９２と、開口９１と指標板１との間に遮光性の合成樹脂からなる透過部である貫通孔９３を備えた遮光体９４と、この遮光体９４上に設けられる暗色透過部９５と、貫通孔９３と暗色透過部９５とを透過する光を発する光源９６と、光源９６が実装された回路基板９７とを備えている。
【００３０】
本実施形態では、主要部９２に開口９１は一つしか図示していないが、一つに限られるものではなく、複数設けてあっても良い。また、開口９１毎に、主要部９２の裏面に垂れ下がり壁９８が設けられている。本実施形態では、この垂れ下がり壁９８は開口９１全周に設けられている。
【００３１】
遮光体９４は表示部１０毎に貫通孔９３を備えており、さらに、この貫通孔９３毎に光源９６を収納する照明室９９を図示しない仕切りによって形成している。
【００３２】
暗色透過部９５は黒色などの暗色の光透過性の合成樹脂にて形成されている。この暗色透過部９５は、遮光体９４の貫通孔９３を覆うものであり、光源９６が点灯していないときに、貫通孔９３を視認できないように隠すものである。また、暗色透過部９５の貫通孔９３に対応する部分の表面には、光源９６からの光が拡散して良好に視認できるように、微細な凹凸が形成されている。なお、この微細な凹凸を目立たなくするために、表面ではなく裏面に形成しても良い。
【００３３】
光源９６は表面実装チップ型の発光ダイオードであり、回路基板９７に実装されている。この回路基板９７は基材がガラスエポキシ樹脂からなる硬質の回路基板であり、本実施形態では、表示部１０を設けた部分に対応する形状でＣの字形状である。この回路基板９７は回路基板８に図示しない配線によって電気的に接続している。この回路基板９７は見返し９の主要部９２に固定されている。なお、Ｒは主要部９２の開口９１に設けられた装飾用のリングであり、また、Ｖは見返し９の上側に伸びるバイザーである。
【００３４】
また、表示部１０が不要な指針式計器の場合、光源９６を点灯させないか、また、光源９６を備えていない回路基板９７を組み付けるか、また、回路基板９７の代わりのもので照明室９９を塞ぐか、あるいは、回路基板９７を取り付けないことによって、表示部１０を備えていない指針式計器を得ることができる。そして、光源９６が点灯しないため、暗色透過部９５で遮光体９４の貫通孔９３を覆い隠すことができ、暗色透過部９５と貫通孔９３を設けた遮光体９４とからなる見返し９をそのまま使用することができ、部品の共通化を図ることができる。
【００３５】
また、本実施形態では、指標部１２が速度を示しており、表示部１０は指標部１２が表示する速度に関連した定速走行装置の設定速度を表示するものである。なお、速度に関連した表示としては、他に制限速度の表示などがある。また、指標部１２が表示するものとしては、速度に限らず、エンジン回転数などを表示する計器に用いても良い。
【００３６】
なお、指標部１２の目盛りを無くして文字のみを残して、表示部１０を全て点灯させて指標部の目盛りとして使用し、表示部１０で指標部１２としての機能を果たすようにしても良い。
【００３７】
また、本実施形態では、見返し９に表示部１０を構成する部品が組み付けられてユニットを構成するので、指針式計器への組み付け作業が容易で、組み付け作業性が向上する。
【００３８】
図７、図８は、本発明の第２の実施形態を示すものである。なお、前記実施形態と同一及び相当箇所には同一符号を付してその詳細な説明は省略する。
【００３９】
本実施形態の見返し１０９は表示部１１０を備えている。この表示部１１０は、遮光性の合成樹脂からなり指標板１の周囲を囲む開口１９１と貫通孔１９３とを備えた主要部１９２と、この主要部１９２上に設けられる暗色透過部１９５とを備えた見返し１０９と、貫通孔１９３と暗色透過部１９５とを透過する光を発する光源１９６と、光源１９６が実装された回路基板１９７と、光源１９６を収納する照明室１９９とを備えた支持体１０５とからなる。なお、本実施形態では、支持体１０５と見返し１０９との間に、指標板１が設けられており、指標部１の表示部１１０対応部分には、指標部１の基材１３の表面に透明層１１５が形成されている。
【００４０】
回路基板１９７は支持体１０５の外側環状突出部５４の外側に設けた照明室１９９に固定されている。
【００４１】
暗色透過部１９５は黒色などの暗色の光透過性の合成樹脂にて形成されており、貫通孔１９３を覆うもので、光源１９６が点灯していないときに、貫通孔１９３を視認できないようにするものである。また、前記実施形態と同様に、暗色透過部１９５の貫通孔１９３に対応する部分の表面には、光源１９６からの光が拡散して良好に視認できるように、微細な凹凸が形成されている。なお、この微細な凹凸を目立たなくするために、表面ではなく裏面に形成しても良い。
【００４２】
また、表示部１１０が不要な指針式計器の場合、光源１９６を点灯させないか、また、光源１９６を備えていない回路基板１９７を組み付けるか、また、回路基板１９７の代わりのもので照明室１９９を塞ぐか、あるいは、回路基板１９７を取り付けないことによって、表示部１１０を備えていない指針式計器を得ることができる。そして、光源１９６が点灯しないため、暗色透過部１９５で貫通孔１９３を覆い隠すことができ、暗色透過部１９５と貫通孔１９３を設けた主要部１９２とからなる見返し１０９をそのまま使用することができ、部品の共通化を図ることができる。
【００４３】
また、本実施形態においても、前記実施形態と同様の作用効果を得ることができる。
【００４４】
図９、図１０は、本発明の第３の実施形態を示すものであり、なお、前記各実施形態と同一及び相当箇所には同一符号を付してその詳細な説明は省略する。
【００４５】
本実施形態では、指標板２０１に表示部２１０を備えている。この表示部２１０は、指標板２０１の基材１３に形成した暗色透過部２９５と、支持体２０５に、暗色透過部２９５を透過する光を発する光源２９６と、光源２９６が実装された回路基板２９７と、光源２９６を収納する照明室２９９とを備えている。
【００４６】
回路基板２９７は支持体２０５の外側環状突出部５４の外側に設けた照明室２９９に固定されている。
【００４７】
暗色透過部２９５は、暗色のインクをスクリーン印刷によって形成したものであり、光源２９６を覆うものであり、光源２９６が点灯していないときに、表示部２１０を視認できないようにするものである。
【００４８】
また、表示部２１０が不要な指針式計器の場合、光源２９６を点灯させないか、また、光源２９６を備えていない回路基板２９７を組み付けるか、また、回路基板２９７の代わりのもので照明室２９９を塞ぐか、あるいは、回路基板２９７を取り付けないことによって、表示部２１０を備えていない指針式計器を得ることができる。そして、光源２９６が点灯しないため、暗色透過部２９５で光源２９６を覆い隠すことができ、暗色透過部２９５を備えた指標板２０１をそのまま使用することができ、部品の共通化を図ることができる。
【００４９】
また、本実施形態においても、前記実施形態と同様の作用効果を得ることができる。
【００５０】
図１１、図１２は、本発明の第４の実施形態を示すであり、なお、前記各実施形態と同一及び相当箇所には同一符号を付してその詳細な説明は省略する。
【００５１】
本実施形態では、前記各実施形態のように表示部を指標板の外周部分に設けたものとは異なり、表示部３１０が指標板３０１の目盛りの指標部１２と速度を示す文字の指標部１２との間に設けられている。
【００５２】
本実施形態による指針式計器は、指標板３０１と、この指標板３０１の背後に配置される導光板３０２と、この導光板３０２の背後に配置される回転体（移動体）３０３と、この回転体３０３に装着される指針３０４と、回転体３０３を回転可能に支持する支持体３０５と、観察者に所定情報を表示する表示装置７と、この表示装置７の背後に配置される回路基板８と、指標板３０１を照明する第１の光源（指標用光源）Ｌ１１と、指針４を照明する第２の光源（指針用光源）Ｌ１２と、指標板３０１の外周を取り囲む見返し３０９と、回転体３０３を回転移動させる図示しない駆動装置とを備えている。
【００５３】
表示部３１０には、暗色透過部３９５が、暗色のインクを印刷形成されている。
【００５４】
導光板３０２は、指標板３０１の背後に重ね合わされた透光性合成樹脂板からなり、前記各実施形態と異なる点は、指標部１２を背後から照明する第１の光源Ｌ１１の光を貫通孔３２１近傍に設けた凹部３２３から受けて、指標板３０１の外周方向に反射する反射面３２４を備えている。また、導光板３０２には、表示部３１０を照明する光源３９６を収納する収納凹部３２５と、この収納凹部３２５から指標板３０１に貫通する光通路部３２６とを備えている。
【００５５】
回転体３０３の外周には、歯車部３３２が形成されており、この歯車部３３２は、前記駆動装置の後述する駆動歯車に連結される。従って、本実施形態の回転体３０３は、ギヤホイールとして機能するものである。
【００５６】
指針３０４は、図１２中、断面略「Ｌ」字状をなす例えば透光性合成樹脂（透光性材料）からなる透光体３４１と、この透光体３４１の所要部を覆う遮光性合成樹脂からなるカバー３４２とを備える。
【００５７】
透光体３４１は、後に詳述する第２の光源Ｌ１２からの光を受ける光導入部３４３と、指標板３０１の前面に沿って延び指標部１２を指示する指示部３４４と、この指示部３４４と光導入部４３とを連結し光導入部３４３からの光を指示部３４４に導く中間部３４５とを有する。
【００５８】
指示部３４４は、指標板３０１の外縁から指標部１２に向けて線状に延びており、その前面または背面には図示しないが、例えばホットスタンプ層からなる着色層や反射層が形成されている。
【００５９】
中間部３４５は、図１２中で図示するように、光導入部３４３から上側に延びており、中間部３４５と指示部３４４の接続箇所には中間部３４５側からの光を指示部３４４の先端側に反射する反射部３４９が形成されている。
【００６０】
また本実施形態の場合、光導入部３４３の一部が回転体３０３に装着固定され、回転体３０３の回転移動によって指針３０４が指標部１２に沿って指標板３０１上を移動するようになっている。
【００６１】
支持体３０５は、貫通孔１１，３１，３２１に対応する貫通孔５１を有する概略環状形状を有する合成樹脂部材からなる。この支持体３０５には、回転体３０３を収容して回転可能に保持する外側凹部３５２が形成され、この外側凹部３５２を形成する中央環状突出部３５６と外側環状突出部３５４との間に第２の光源Ｌ１２が配置されている。また、外側凹部３５２の内側に内側凹部３５７が形成され、この内側凹部３７５を形成する中央環状突出部３５６と内側環状突出部３５３との間に第１の光源Ｌ１１と光源３９６が配置されている。
【００６２】
第１の光源Ｌ１１と光源３９６は硬質の回路基板Ｆ１に複数個固定されている。また、第２の光源Ｌ１２は、硬質の回路基板Ｆ２に複数個固定されている。なお各回路基板Ｆ１，Ｆ２には図示しないが第１，第２の光源Ｌ１１，Ｌ１２、光源３９６に電力供給を行うための銅箔パターンが形成され、この銅箔パターン上に第１，第２の光源Ｌ１１，Ｌ１２、光源３９６が実装されている。
【００６３】
見返し３０９は遮光性の合成樹脂からなり指標板３０１の周囲を囲む開口３９１を備えており、開口３９１に装飾用のリングＲを備えている。
【００６４】
以上のように構成したことによって、表示部３１０が不要な場合、光源３９６を点灯させないか、また、光源３９６を備えていない回路基板Ｆ１を組み付けるだけで表示部３１０を備えていない指針式計器を得ることができ、光源３９６が点灯しないため、暗色透過部３９５で光源３９６を覆い隠すことができ、暗色透過部３９５を備えた指標板３０１をそのまま使用することができ、部品の共通化を図ることができる。
【００６５】
なお、表示部３１０が他の光源Ｌ１１，Ｌ１２の影響を受けないように、収納凹部３２５と光通路部３２６に内部を遮光性の部材で覆うようにしてもよい。さらに、この遮光性の部材が白色の場合、他の光源Ｌ１１，Ｌ１２の照明に影響を及ぼしにくくすることができる。
【００６６】
このように構成することによって、前記各実施例と同様の作用効果を得ることができる。
【００６７】
図１３，図１４は、本発明の第５の実施形態を示すものであり、前記各本実施形態と同一及び相当箇所には同一符号を付してその詳細な説明は省略する。
【００６８】
本実施形態では、指標板４０１上に表示部４１０として、リング状の光透過部材４００を配置したものである。この光透過部材４００は透明な合成樹脂からなり、指標部１２の目盛りに合致した凹部４０２を備えたものである。この凹部４０２は傾斜部４０３を備えている。
【００６９】
また、支持体４０５には、光透過部材４００に光を供給する光源Ｌ２１を帯状導体Ｆに凹部４０２毎に備えている。光源Ｌ２１は、光源Ｌ１，Ｌ２とはその照明色が異なっており、例えば、光源Ｌ１，Ｌ２が白色であれば、光源Ｌ２１は赤色などの注意を引きつける色が好ましいが、色は任意に設定可能である。光源Ｌ２１の光が光透過部材４００の外周端部から入射し、凹部４０２の傾斜面４０３に光が反射して、凹部４０２を視認することができる。
【００７０】
以上のように構成することによって、表示部４１０を備えた場合は、光源Ｌ２１を設け、表示部４１０を必要としない場合は、光源Ｌ２１を設けなければよい。あるいは、光源Ｌ２１は備えているが、駆動しないように図示しない駆動回路を設定すればよい。なお、光透過部材４００の形状は、リング状である必要はなく、指標部４０１の表面全体を覆うものであってもよい。
【００７１】
以上のように構成したことによって、表示部４１０が不要な場合、光源Ｌ２１を点灯させないか、また、光源Ｌ２１を備えていない回路基板Ｆを組み付けるだけで表示部４１０を備えていない指針式計器を得ることができ、光源Ｌ２１が点灯しないため、光透過部材４００の傾斜面４０３が発光しないだけで、光透過部材４００をそのまま使用することができ、部品の共通化を図ることができる。
【００７２】
このように構成することによって、前記各実施例と同様の作用効果を得ることができる。
【図面の簡単な説明】
【００７３】
【図１】本発明の第１の実施形態による指針式計器の正面図。
【図２】図１のＡ−Ａ断面図。
【図３】図１のＡ−Ａ拡大断面図。
【図４】図１中、指標板を取り外した際の正面図。
【図５】同上実施形態に採用される指針の要部斜視図。
【図６】同上実施形態に採用される光源の要部正面図。
【図７】本発明の第２の実施形態による指針式計器の要部正面図。
【図８】図７のＢ−Ｂ断面図。
【図９】本発明の第３の実施形態による指針式計器の要部正面図。
【図１０】図９のＣ−Ｃ断面図。
【図１１】本発明の第４の実施形態による指針式計器の要部正面図。
【図１２】図１１のＤ−Ｄ断面図。
【図１３】本発明の第５の実施形態による指針式計器の要部正面図。
【図１４】図１３のＥ−Ｅ断面図。
【符号の説明】
【００７４】
１，２０１，３０１  指標板
４，３０４  指針
６  駆動装置
９，１０９，３０９  見返し
１０，１１０，２１０，３１０，４１０  表示部
１２  指標部
９３，１９３  貫通孔（透過部）
９５，１９５，２９５，３９５  暗色透過部
９６，１９６，２９６，Ｌ２１  光源
９７，１９７，２９７  回路基板
４００  光透過部材
【図１】
2005127915.tif 000003
【図２】
2005127915.tif 000004
【図３】
2005127915.tif 000005
【図４】
2005127915.tif 000006
【図５】
2005127915.tif 000007
【図６】
2005127915.tif 000008
【図７】
2005127915.tif 000009
【図８】
2005127915.tif 000010
【図９】
2005127915.tif 000011
【図１０】
2005127915.tif 000012
【図１１】
2005127915.tif 000013
【図１２】
2005127915.tif 000014
【図１３】
2005127915.tif 000015
【図１４】
2005127915.tif 000016